(57)【要約】【課題】カードに対して両面印刷を可能とし、小型化が可能なカード反転装置を提供する。【解決手段】第１の回転軸線(CL4)上に回動可能に対向配置された第１のベース部(4a)及び第２のベース部(4b)と、第１のベース部(4a)と第２のベース部(4b)との間に第１の回転軸線(CL4)を挟んで径方向に離隔配置され、第１の回転軸線(CL4)と交わる方向に所定サイズのカード(C)を挟持搬送する一対のローラ組である第１のローラ組(4c)と第２のローラ組(4d)と、第１のベース部(4a)に設けられ第２のローラ組(4d)が挟持搬送するカード(C)に当接して位置及び角度を矯正するカード基準ガイド(4f)と、を備える。第２のローラ組(4d)は、第１の回転軸線(CL4)に対し、第２のベース部(4b)側が第１のベース部(4a)側より近くなるように傾斜延在している。【選択図】図２
2018043807.tif 000002
【特許請求の範囲】
【請求項１】
第１の回転軸線上に回動可能に対向配置された第１のベース部及び第２のベース部と、
前記第１のベース部と前記第２のベース部との間に前記第１の回転軸線を挟んで径方向に離隔配置され、前記第１の回転軸線と交わる方向に所定サイズのカードを挟持搬送する一対のローラ組である第１のローラ組と第２のローラ組と、
前記第１のベース部に設けられ前記第２のローラ組が挟持搬送するカードに当接して位置及び角度を矯正するカード基準ガイドと、
を備え、
前記第２のローラ組は、前記第１の回転軸線に対し、前記第２のベース部側が前記第１のベース部側より近くなるように傾斜延在しているカード反転装置。
【請求項２】
所定サイズのカードに画像を印刷する転写部と、前記転写部にカードの搬送を行うカード反転部と、を備え、
前記転写部は、
前記カードに画像を印刷するヒートローラとバックローラとを備えると共に、
前記ヒートローラ及び前記バックローラは、前記転写部から搬送される前記カードを挟持搬送し、
前記カード反転部は、
第１の回転軸線上に回動可能に対向配置された第１のベース部及び第２のベース部と、
前記第１及び第２のベース部間に前記第１の回転軸線を挟んで径方向に離隔配置され前記第１の回転軸線と交わる方向にカードを挟持搬送する一対のローラ組である第１のローラ組と第２のローラ組と、
前記第１のベース部に設けられ前記第２のローラ組が挟持搬送するカードに当接して位置及び角度を矯正するカード基準ガイドと、
を備えると共に、
前記第１のローラ組は、前記第１の回転軸線と平行に延在し、
前記第２のローラ組は、前記第１の回転軸線に対し、前記第２のベース部側が前記第１のベース部側より近くなるように傾斜延在してなり、
前記ヒートローラ、バックローラ、前記第１のローラ組及び前記第２のローラ組は、前記ヒートローラ及びバックローラと前記第１のローラ組とが同一の前記カードを同時に挟持する場合は常に、前記第２のローラ組が前記カードを挟持しないように配置されたカードプリンタ。
【請求項３】
所定サイズのカードに画像を印刷する転写部と、前記転写部にカードの搬送を行うカード反転部と、前記カードを前記カード反転部に向け供給する供給部と、を備え、
前記転写部は、
前記カードに画像を印刷するヒートローラとバックローラとを備えると共に、
前記ヒートローラ及び前記バックローラは、前記転写部から搬送される前記カードを挟持搬送し、
前記カード反転部は、
第１の回転軸線上に回動可能に対向配置された第１のベース部及び第２のベース部と、
前記第１及び第２のベース部間に前記第１の回転軸線を挟んで径方向に離隔配置され前記第１の回転軸線と交わる方向にカードを挟持搬送する一対のローラ組である第１のローラ組と第２のローラ組と、
前記第１のベース部に設けられ前記第２のローラ組が挟持搬送するカードに当接して位置及び角度を矯正するカード基準ガイドと、
を備えると共に、
前記第１のローラ組は、前記第１の回転軸線と平行に延在し、
前記第２のローラ組は、前記第１の回転軸線に対し、前記第２のベース部側が前記第１のベース部側より近くなるように傾斜延在してなり、
前記ヒートローラ、バックローラ、前記第１のローラ組及び前記第２のローラ組は、前記ヒートローラ及びバックローラと前記第１のローラ組とが同一の前記カードを同時に挟持する場合は常に、前記第２のローラ組が前記カードを挟持しないように配置されており、
前記カード反転部と前記供給部との間に、前記供給部から供給されたカードを挟持搬送する一対のローラ組である第３のローラ組を有して前記カード反転部に向け中継搬送する中継搬送部を備え、
前記第３のローラ組は、前記カード反転部が、前記第１及び第２のベース部が前記転写部に対し前記第２のローラ組が前記第１のローラ組よりも遠くにある基準回動位置にあるときの、前記第２のローラ組と平行に延在すると共に、前記カードを前記第２のローラ組と同時に挟持可能な位置に配置されているカードプリンタ。
【発明の詳細な説明】
【技術分野】
【０００１】
本発明は、カード反転装置及びカードプリンタに係る。
【背景技術】
【０００２】
両面印刷可能なカードプリンタにおけるカード反転装置の例が、特許文献１に記載されている。
【０００３】
特許文献１に記載されたカード反転機構は、反転軸を支軸としてモータ駆動により回転する反転フレームと、反転フレームに設けられカードを挟持かつ搬送可能な一対の挟持ローラと、を有する。
【０００４】
カード反転機構は、印刷部に隣接配置され、印刷部から一面側に印刷された状態で反転フレームに対し搬出されたカードを、一対の挟持ローラで挟持して１８０°反転し、再び印刷部に搬入する。
印刷部は、反転されたカードの他面側に印刷を施し、ストッカーへ搬出する。
これにより、カードに両面印刷が施される。
【先行技術文献】
【特許文献】
【０００５】
【特許文献１】特開平１０−１９４５３２号公報
【発明の概要】
【発明が解決しようとする課題】
【０００６】
従来の、カード反転機構を備えたカードプリンタは、印刷部における、カードの幅方向（搬送直交方向）の印刷位置の位置出しを、カード反転機構と印刷部との間に配置した押し付け機構によって行っていた。
【０００７】
押し付け機構は、幅方向の基準位置とする基準壁を有し、カードの幅方向の一方側の辺を、基準壁に押し付ける機能を有する。
【０００８】
これにより、カード反転機構から送出されたカードは、押し付け機構によって幅方向に位置出しされながら印刷部に供給される。従って、印刷部におけるカードへの印刷で、幅方向の印刷位置が精度よく決められる。
【０００９】
しかしながら、この構造では、押し付け機構の分だけ搬送経路が長くなるため、カードプリンタが大型化するという問題がある。
また、押し付け機構を搬送させる時間分だけ印刷時間が長くなり、印刷効率が低下する、という問題がある。
【００１０】
そこで、本発明が解決しようとする課題は、カードに対して両面印刷を可能とし、小型化が可能なカード反転装置及びカードプリンタを提供することにある。
【課題を解決するための手段】
【００１１】
上記の課題を解決するために、本発明は次の構成を有する。
１）  第１の回転軸線上に回動可能に対向配置された第１のベース部及び第２のベース部と、
前記第１のベース部と前記第２のベース部との間に前記第１の回転軸線を挟んで径方向に離隔配置され、前記第１の回転軸線と交わる方向に所定サイズのカードを挟持搬送する一対のローラ組である第１のローラ組と第２のローラ組と、
前記第１のベース部に設けられ前記第２のローラ組が挟持搬送するカードに当接して位置及び角度を矯正するカード基準ガイドと、
を備え、
前記第２のローラ組は、前記第１の回転軸線に対し、前記第２のベース部側が前記第１のベース部側より近くなるように傾斜延在しているカード反転装置である。
２）  所定サイズのカードに画像を印刷する転写部と、前記転写部にカードの搬送を行うカード反転部と、を備え、
前記転写部は、
前記カードに画像を印刷するヒートローラとバックローラとを備えると共に、
前記ヒートローラ及び前記バックローラは、前記転写部から搬送される前記カードを挟持搬送し、
前記カード反転部は、
第１の回転軸線上に回動可能に対向配置された第１のベース部及び第２のベース部と、
前記第１及び第２のベース部間に前記第１の回転軸線を挟んで径方向に離隔配置され前記第１の回転軸線と交わる方向にカードを挟持搬送する一対のローラ組である第１のローラ組と第２のローラ組と、
前記第１のベース部に設けられ前記第２のローラ組が挟持搬送するカードに当接して位置及び角度を矯正するカード基準ガイドと、
を備えると共に、
前記第１のローラ組は、前記第１の回転軸線と平行に延在し、
前記第２のローラ組は、前記第１の回転軸線に対し、前記第２のベース部側が前記第１のベース部側より近くなるように傾斜延在してなり、
前記ヒートローラ、バックローラ、前記第１のローラ組及び前記第２のローラ組は、前記ヒートローラ及びバックローラと前記第１のローラ組とが同一の前記カードを同時に挟持する場合は常に、前記第２のローラ組が前記カードを挟持しないように配置されたカードプリンタである。
３）  所定サイズのカードに画像を印刷する転写部と、前記転写部にカードの搬送を行うカード反転部と、前記カードを前記カード反転部に向け供給する供給部と、を備え、
前記転写部は、
前記カードに画像を印刷するヒートローラとバックローラとを備えると共に、
前記ヒートローラ及び前記バックローラは、前記転写部から搬送される前記カードを挟持搬送し、
前記カード反転部は、
第１の回転軸線上に回動可能に対向配置された第１のベース部及び第２のベース部と、
前記第１及び第２のベース部間に前記第１の回転軸線を挟んで径方向に離隔配置され前記第１の回転軸線と交わる方向にカードを挟持搬送する一対のローラ組である第１のローラ組と第２のローラ組と、
前記第１のベース部に設けられ前記第２のローラ組が挟持搬送するカードに当接して位置及び角度を矯正するカード基準ガイドと、
を備えると共に、
前記第１のローラ組は、前記第１の回転軸線と平行に延在し、
前記第２のローラ組は、前記第１の回転軸線に対し、前記第２のベース部側が前記第１のベース部側より近くなるように傾斜延在してなり、
前記ヒートローラ、バックローラ、前記第１のローラ組及び前記第２のローラ組は、前記ヒートローラ及びバックローラと前記第１のローラ組とが同一の前記カードを同時に挟持する場合は常に、前記第２のローラ組が前記カードを挟持しないように配置されており、
前記カード反転部と前記供給部との間に、前記供給部から供給されたカードを挟持搬送する一対のローラ組である第３のローラ組を有して前記カード反転部に向け中継搬送する中継搬送部を備え、
前記第３のローラ組は、前記カード反転部が、前記第１及び第２のベース部が前記転写部に対し前記第２のローラ組が前記第１のローラ組よりも遠くにある基準回動位置にあるときの、前記第２のローラ組と平行に延在すると共に、前記カードを前記第２のローラ組と同時に挟持可能な位置に配置されているカードプリンタである。
【発明の効果】
【００１２】
本発明によれば、カードに対して両面印刷を可能とし、小型化が可能である、という効果が得られる。
【図面の簡単な説明】
【００１３】
【図１】図１は、本発明の実施の形態に係るカードプリンタの実施例であるプリンタ５１を説明するための概略構成図である。
【図２】図２は、プリンタ５１におけるカードＣの搬送経路に沿った部材構成を説明するための上方から見た模式図である。
【図３】図３は、図２におけるＳ３−Ｓ３位置での断面図である。
【図４】図４は、プリンタ５１におけるカードＣの搬送手順を説明するための上方から見た模式図である。
【図５】図５は、プリンタ５１におけるカードＣへの両面印刷手順を説明するための第１の図である。
【図６】図６は、プリンタ５１におけるカードＣへの両面印刷手順を説明するための第２の図である。
【図７】図７は、プリンタ５１におけるカードＣへの両面印刷手順を説明するための第３の図である。
【図８】図８は、プリンタ５１におけるカードＣへの両面印刷手順を説明するための第４の図である。
【図９】図９は、プリンタ５１におけるカードＣへの両面印刷手順を説明するための第５の図である。
【図１０】図１０は、プリンタ５１におけるカードＣｗへの両面印刷手順を説明するための第１の図である。
【図１１】図１１は、プリンタ５１におけるカードＣｗへの両面印刷手順を説明するための第２の図である。
【図１２】図１２は、プリンタ５１におけるカードＣｗへの両面印刷手順を説明するための第３の図である。
【図１３】図１３は、プリンタ５１におけるカードＣｗへの両面印刷手順を説明するための第４の図である。
【図１４】図１４は、プリンタ５１におけるカードＣｗへの両面印刷手順を説明するための第５の図である。
【図１５】図１５は、変形例のプリンタ５１ＡにおけるカードＣｗＡの搬送経路に沿った部材構成を説明するための上方から見た模式図である。
【図１６】図１６は、プリンタ５１ＡにおけるカードＣｗＡへの両面印刷手順を説明するための第１の図である。
【図１７】図１７は、プリンタ５１ＡにおけるカードＣｗＡへの両面印刷手順を説明するための第２の図である。
【図１８】図１８は、プリンタ５１ＡにおけるカードＣｗＡへの両面印刷手順を説明するための第３の図である。
【図１９】図１９は、プリンタ５１ＡにおけるカードＣｗＡへの両面印刷手順を説明するための第４の図である。
【発明を実施するための形態】
【００１４】
本発明の実施の形態に係るカードプリンタを、実施例のプリンタ５１により説明する。
【００１５】
図１は、プリンタ５１の概略構成を説明するための図である。以下の説明における上下方向を図１の矢印の方向に規定する。
プリンタ５１は、再転写方式のカードプリンタである。
プリンタ５１は、筐体１内に、転写部Ａ１，再転写部Ａ２，供給部Ａ３，反転部Ａ４，搬出部Ａ５，及び制御部Ａ６を有する。
【００１６】
転写部Ａ１は、相対的に離接するプラテンローラ１ａとサーマルヘッド１ｂとを有する。
プラテンローラ１ａとサーマルヘッド１ｂとの間には、サーマルヘッド１ｂ側からインクフィルムＦａと中間転写フィルムＦｂが互いに対向するように通されている。
【００１７】
インクフィルムＦａは、熱転写可能なインク層を有し、供給リールＦａ１と巻き取りリールＦａ２との間に複数のガイドシャフト１ｃを介して掛け渡されている。
中間転写フィルムＦｂは、インクフィルムＦａから転写されたインクを受容する受容層を有し、供給リールＦｂ１と巻き取りリールＦｂ２との間に複数のガイドシャフト１ｄを介して掛け渡されている。
【００１８】
インクフィルムＦａ及び中間転写フィルムＦｂは、各リールを回転駆動する図示しないリールモータにより、制御部Ａ６の制御の下、独立して正逆方向に搬送される。
【００１９】
転写動作では、サーマルヘッド１ｂの熱圧接によってインクフィルムＦａのインクが中間転写フィルムＦｂに熱転写され、中間転写フィルムＦｂ上に所望の転写画像が形成される。
【００２０】
再転写部Ａ２は、相対的に離接するヒートローラ２ａとバックローラ２ｂとを有する。ヒートローラ２ａとバックローラ２ｂとの間には、中間転写フィルムＦｂが通されている。
再転写動作では、所定サイズのカードＣがバックローラ２ｂと中間転写フィルムＦｂとの間に通され、ヒートローラ２ａにより中間転写フィルムＦｂの転写画像がカードＣの上面に熱転写される。
【００２１】
再転写部Ａ２に隣接して反転部Ａ４が配置されている。反転部Ａ４は、カードＣを挟持反転するカード反転装置である。
反転部Ａ４は、図１における紙面表裏方向に対向して離隔配置されたベース部４ａ及びベース部４ｂ（図１では不図示）を有する。
ベース部４ａ，４ｂは、図１における紙面表裏方向に延びる回転軸線ＣＬ４上に配置され、回転軸線ＣＬ４まわりに回動する。
また、反転部Ａ４は、回転軸線ＣＬ４を挟んで径方向に離隔配置された搬送ローラ組４ｃ及び斜向ローラ組４ｄと、を有する。
反転部Ａ４の詳細は後述する。
【００２２】
反転部Ａ４に対する再転写部Ａ２の反対側には、カードＣを反転部Ａ４に対し供給する供給部Ａ３が配置されている。
供給部Ａ３は、カードＣをスタック可能なカードガイド３ａと、カードガイド３ａにスタックされたスタック体ＣＴの内の、最下のカードＣを反転部Ａ４に送り込むための供給ローラ３ｂと、を有する。
供給ローラ３ｂの回動は、モータＭ３（図２参照）の回転動作によってなされ、モータＭ３の回転動作は、制御部Ａ６によって制御される。
【００２３】
再転写部Ａ２に対し反転部Ａ４の反対側には、再転写部Ａ２から搬出されたカードＣを外部に排出する搬出部Ａ５が配置されている。
搬出部Ａ５は、カードＣを挟持搬送する搬出ローラ組５ａを一対有する。搬出ローラ組５ａの動作は、制御部Ａ６により制御される。
【００２４】
以上の構成を有するプリンタ５１は、カードＣに対する両面印刷を、概略次のように実行する。
【００２５】
制御部Ａ６から供給された画像信号に基づく第１の転写画像を、サーマルヘッド１ｂの動作によってインクフィルムＦａのインクにより中間転写フィルムＦｂに転写する。
【００２６】
カードＣは、供給部Ａ３から反転部Ａ４を経て再転写部Ａ２に供給される。
【００２７】
再転写部Ａ２では、中間転写フィルムＦｂとカードＣの上方を向く一方の面とを密着させつつ転写部Ａ１において中間転写フィルムＦｂに転写された第１の画像を、カードＣの一方の面に転写させる。
【００２８】
一方の面に第１の画像が転写されたカードＣは、反転部Ａ４に逆送（戻し送り）され、その後、反転部Ａ４において他方の面が上方を向くように反転される。
【００２９】
反転されたカードＣは、再び、再転写部Ａ２に供給され、中間転写フィルムＦｂに転写された別の画像である第２の画像を、上方を向いている他方の面に転写させる。
このようにして、一方の面に第１の画像が転写され、他方の面に第２の画像が転写されて両面印刷されたカードＣは、搬出部Ａ５に送られて外部に排出される。
【００３０】
図１では、カードＣとして、スタックされたカードＣ及びそのスタック体ＣＴ、並びに排出されるカードＣが示されている。
【００３１】
この一連のカードＣに対する両面印刷動作は、制御部Ａ６により制御される。
【００３２】
次に、反転部Ａ４について、図２及び図３も参照して詳述する。
図２は、カードＣの供給部Ａ３、反転部Ａ４、及び再転写部Ａ２に跨る搬送経路に沿って配置された部材の構成を、図１の上方から模式的に見た図である。
図３は、図２におけるＳ３−Ｓ３位置での断面図である。
【００３３】
プリンタ５１において、反転部Ａ４は、カードＣの反転機能とカードＣの幅方向の位置決め機能との両方を有する。
【００３４】
供給部Ａ３にスタックされている所定サイズのカードＣは、例えばＩＤカードであり、外形サイズは８５．６×５４ｍｍ、厚さは０．７６ｍｍである。
図２に示されるように、プリンタ５１において、カードＣは、短手が搬送方向ＤＲａに沿う姿勢で搬送される。
搬送方向ＤＲａに直交する方向は、以下、幅方向と称する。
供給部Ａ３におけるカードをスタックする部分の幅Ｄａは、カードＣの長手寸法よりも大きく設定されている。
【００３５】
反転部Ａ４は、幅方向に対向するベース部４ａ，４ｂと、ベース部４ａ，４ｂ間に幅方向に延びる回転軸線ＣＬ４ｃをもって支持された搬送ローラ組４ｃ、及び、上方視で搬送方向ＤＲａに対し斜交する回転軸線ＣＬ４ｄをもって支持された斜向ローラ組４ｄを有する。
斜向ローラ組４ｄは、ベース部４ｂ側が回転軸線ＣＬ４に近くなるように幅方向に対し傾斜延在している。
【００３６】
搬送ローラ組４ｃは、駆動ローラ４ｃ１と従動ローラ４ｃ２とからなり、駆動ローラ４ｃ１がモータＭ２によって回転駆動される。
斜向ローラ組４ｄは、斜向駆動ローラ４ｄ１と斜向従動ローラ４ｄ２とからなり、斜向駆動ローラ４ｄ１が、駆動ローラ４ｃ１と連動してモータＭ２により回転駆動される。
これにより、カードＣを、駆動ローラ４ｃ１と従動ローラ４ｃ２との間、及び斜向駆動ローラ４ｄ１と斜向従動ローラ４ｄ２間に挟んで搬送方向ＤＲａに搬送することができる。
【００３７】
ベース部４ａ，４ｂは、それぞれから外方へ幅方向に延出する軸部４ａ１，４ｂ１を有し、各軸部４ａ１，４ｂ１がプリンタ５１のフレーム（不図示）に支持されている。また、ベース部４ａ，４ｂは、軸部４ａ１に駆動接続されたモータＭ１の動作によって、幅方向に延びる回転軸線ＣＬ４まわりに３６０°回動するようになっている。
【００３８】
反転部Ａ４は、図２に示されるように、斜向ローラ組４ｄが供給部Ａ３側にある回動姿勢状態を、便宜的に基準状態と称する。
また、基準状態から１８０°反転した状態、すなわち、斜向ローラ組４ｄが再転写部Ａ２側にある状態を、便宜的に反転状態と称する。
【００３９】
ベース部４ｂは、搬送されるカードＣの短辺と対向した位置に、ベース部４ａに向けリブ状に突出したカードガイド４ｅを有する。
ベース部４ａは、カードガイド４ｅに対向した位置に、ベース部４ｂに向けリブ状に突出したカード基準ガイド４ｆを有する。
詳しくは、カードガイド４ｅ及びカード基準ガイド４ｆは、カードＣの短辺に対し対向延在するように形成されている。
【００４０】
カード基準ガイド４ｆの先端面４ｆ１は、再転写位置の位置出し基準として、中間転写フィルムＦｂの幅方向位置に対して高精度に位置出しされている。
カードガイド４ｅの先端面４ｅ１とカード基準ガイド４ｆの先端面４ｆ１とは、平行面とされ、両面間距離である幅Ｄｂは、幅Ｄａと等しく設定されている。
【００４１】
カード基準ガイド４ｆには、搬送ローラ組４ｃに近い位置に、カード基準ガイド４ｆの先端面４ｆ１を摺動するカードＣの有無を検出するセンサ４ｇが取り付けられている。
センサ４ｇは、例えば光センサであり、検出信号ＳＧ１を制御部Ａ６に送出する。制御部Ａ６は、入来した検出信号ＳＧ１に基づいてカードＣの後端となる長辺Ｃｂが通過したことを把握し、再転写部Ａ２による再転写を開始する。
【００４２】
再転写部Ａ２のヒートローラ２ａは、図示しないヒータで昇温されると共に、中間転写フィルムＦｂを、バックローラ２ｂとの間に挟んでモータＭ４の駆動により搬送する。モータＭ４の動作は、制御部Ａ６により制御される。
【００４３】
上述の供給ローラ３ｂと、斜向ローラ組４ｄ，搬送ローラ組４ｃ，及びヒートローラ２ａの搬送方向ＤＲａの配置位置は、搬送するカードＣを、少なくともいずれか一つが挟持して搬送できる間隔とされている。
また、ヒートローラ２ａ及びバックローラ２ｂのローラ組と、搬送ローラ組４ｃと、の両方のローラ組でカードＣを同時に挟持している場合、斜向ローラ組４ｄではカードＣを挟持できないように、各ローラ組が配設されている。
【００４４】
以上の構成により、図４に示されるように、供給部Ａ３から反転部Ａ４に向け搬送されるカードＣ（二点鎖線）は、斜向ローラ組４ｄによる搬送方向ＤＲｂ（回転軸線ＣＬ４ｄと直交する搬送方向）に従ってカード基準ガイド４ｆに接近する方向に搬送される。
その結果、カードＣは、実線で示されるように、カード基準ガイド４ｆに対向する短辺Ｃａが、カード基準ガイド４ｆに当接摺動し、次いで搬送ローラ組４ｃに挟持され、そのまま再転写部Ａ２に供給される。
そして、上述のように、再転写部Ａ２は、ベース部４ａ,４ｂが、再転写部Ａ２に対し斜向ローラ組４ｄが搬送ローラ組４ｃよりも遠くにある基準回動位置のときに反転部Ａ４から搬送されたカードＣに対し転写を実行するようになっている。
【００４５】
すなわち、カード基準ガイド４ｆは、カードＣを当接させてその幅方向の位置及び角度（搬送方向に対する短手方向の角度）を矯正する機能を有する。カード基準ガイド４ｆに短辺全体が当接したカードＣは、カード基準ガイド４ｆの先端面４ｆ１によって幅方向の位置出しがなされるので、幅方向サイズによらず、再転写位置が短辺Ｃａを基準として高精度に位置決めされる。
【００４６】
上述のように、カードＣの位置決め機能を有する反転部Ａ４を用いることで、カードＣを反転して行う他方の面への転写印刷においても、印刷位置を高精度に位置決めできる。
【００４７】
そこで、プリンタ５１におけるカードＣの両面印刷動作について、図５〜図９を主に参照して説明する。この動作は、制御部Ａ６の制御により実行される。
図５〜図９では、再転写部Ａ２及び反転部Ａ４について、各部材を模式化して示してある。
それぞれの図における（ａ）が図１に対応する幅方向中央位置での断面図、（ｂ）が図４に対応する上面図である。
【００４８】
（ＳＴ１：再転写部供給工程＜１回目＞）
既述のようにして、カード基準ガイド４ｆに当接摺動するようにして幅方向の位置決めがなされたカードＣは、図５に示されるように、搬送ローラ組４ｃの駆動により再転写部Ａ２に供給される（矢印ＤＲｃ）。
再転写部Ａ２では、ヒートローラ２ａがバックローラ２ｂに向け移動して（矢印ＤＲｄ）、カードＣと中間転写フィルムＦｂとを熱圧接させ、中間転写フィルムＦｂに転写された画像をカードＣの一方の面Ｃ１に転写し、図６（ｂ）に示される転写画像ＣＧ１を形成する。
【００４９】
（ＳＴ２：反転部Ａ４の空反転工程）
カードＣの一方の面Ｃ１への転写が終了したら、ヒートローラ２ａが中間転写フィルムＦｂから離隔する（図６：矢印ＤＲｄ２）。
また、モータＭ１（図２参照）が駆動され、ベース部４ａ，４ｂが１８０°回動し（図６：矢印ＤＲｅ）、図６に示される姿勢とされる。回動方向は限定されず、例えば図６（ａ）における時計まわり方向である。
【００５０】
（ＳＴ２：反転部再供給工程）
ベース部４ａ，４ｂの１８０°の回動後、図７（ａ）に示されるように、中間転写フィルムＦｂが巻き戻される（矢印ＤＲｆ）。
熱圧接により、カードＣは中間転写フィルムＦｂに張り付いているので、カードＣは、中間転写フィルムＦｂと共に反転部Ａ４に向け移動する（破線矢印ＤＲｇ）。
【００５１】
中間転写フィルムＦｂは、この巻き戻しにおいて、反転部Ａ４に近い方のガイドシャフト１ｄから上方の供給リールＦｂ１（図１参照）に向け移動するため、カードＣから引きはがされる。
ただ、中間転写フィルムＦｂとカードＣとの間で張り付いている部分が残っているうちに、カードＣの移動先端が、反転部Ａ４の斜向ローラ組４ｄに挟持されて反転部Ａ４内に引き込まれる。
従って、カードＣが搬送経路から脱落することなく反転部Ａ４に再度供給されると共に、中間転写フィルムＦｂのカードＣからの引きはがしがスムースに完了する。
【００５２】
また、斜向ローラ組４ｄの斜向が、カードＣをカード基準ガイド４ｆに接近させるように引き込む方向（図７：矢印ＤＲｈ）なので、この引き込みにおいても、カードＣは、幅方向の位置が、カード基準ガイド４ｆの先端面４ｆ１によって決められる。
【００５３】
（ＳＴ３：カード反転工程）
反転部Ａ４は、カードＣを引き込んだ後、図８に示されるように再び１８０°回動する（矢印ＤＲｊ）。
これにより、カードＣは、他方の面Ｃ２が上方を向く姿勢となる。
（ＳＴ４：再転写部供給工程＜２回目＞）
図９に示されるように、（ＳＴ２）の動作と同様に、カードＣは、再転写部Ａ２へ供給され（矢印ＤＲｊ２）、他方の面Ｃ２に対して転写が行われ、転写画像ＣＧ２が形成される。
これにより、カードＣの一方の面Ｃ１に転写画像ＣＧ１が形成され、他方の面Ｃ２に転写画像ＣＧ２が形成され、両面印刷が完了する。
その後、カードＣは、搬出部Ａ５へ向け搬出され（破線矢印ＤＲｊ３）、外部に排出される。
【００５４】
カードＣの一方の面Ｃ１及び他方の面Ｃ２への転写において、斜向ローラ４ｄの作用により、カードＣは、カード基準ガイド４ｆの先端面４ｆ１に当接摺動しつつ再転写部Ａ２に供給される。これにより、転写画像ＣＧ１，ＣＧ２の幅方向の転写位置が高精度に位置出しされる。
また、転写画像ＣＧ１，ＣＧ２の搬送方向の位置は、センサ４ｇの検出信号ＳＧ１に基づいて決められるので、高精度に位置出しされる。
【００５５】
市場においては、カードの短手方向サイズが、ＩＤカードの８５．６ｍｍに対し、約３％大きい約８８ｍｍのカードＣｗも流通している。
このような、ＩＤカードに対して短手方向サイズが数％大きいカードＣｗは、その短手長さがベース部４ａ，４ｂの外径よりも大きいと、ベース部４ａ，４ｂを回動させたときに周囲の部材に干渉する場合がある。特に、ヒートローラ２ａとベース部４ａ，４ｂとの間にあるガイドシャフト１ｄと干渉する虞がある。
【００５６】
そこで、次に説明する構造及び手順でカードＣｗを反転させるとよく、図１０〜図１３を参照して説明する。
【００５７】
構造としては、図１０に示されるように、供給部Ａ３において、供給ローラ３ｂの位置を、スタック体ＣＴの最も反転部Ａ４側にしておく。
供給ローラ３ｂと斜向ローラ組４ｄの幅方向中央位置との間のピッチ、及びヒートローラ２ａと搬送ローラ組４ｃとの間のピッチであるピッチＰｔ１は、基準となるカードＣの短手長さＣｈ１よりも小さく設定しておく。
また、反転部Ａ４における搬送ローラ組４ｃと斜向ローラ組４ｄとの間のピッチＰｔ２は、ピッチＰｔ１よりも小さく設定しておく。
【００５８】
カードＣｗは、短手長さＣｈ２がカードＣの短手長さＣｈ１よりも長く、中間転写フィルムＦｂとスタック体ＣＴとの間の間隔Ｗ１よりも短いものとする。
【００５９】
（ＳＴＡ１：再転写部供給工程＜１回目＞）
まず、図１０に示されるように、供給部Ａ３の供給ローラ３ｂにより、スタック体ＣＴから一枚のカードＣｗを反転部Ａ４に供給し（矢印ＤＲｋ）、さらに、既述の（ＳＴ１：再転写部供給工程）と同様に、再転写部Ａ２に供給して（矢印ＤＲｋ１）、カードＣｗの上方を向いている一方の面Ｃｗ１に転写を実行する。
【００６０】
（ＳＴＡ２：反転部の空反転及び再供給工程）
カードＣｗの一方の面Ｃｗ１への転写が終了したら、図１１に示されるように、反転部Ａ４のベース部４ａ，４ｂを１８０°回動する（破線矢印ＤＲｍ）。
そして、再転写部Ａ２から、カードＣｗを、回動した反転部Ａ４に対して戻し供給する（破線矢印ＤＲｍ１）。この状態で、カードＣｗは、先頭側が供給部Ａ３側にベース部４ａ，４ｂからはみ出だし、末尾側がベース部４ａ，４ｂ内に収まっている。
【００６１】
（ＳＴＡ３：反転部の半反転工程＜その１＞）
次に、図１２に示されるように、反転部Ａ４のベース部４ａ，４ｂを時計まわり方向に９０°回動させる（矢印ＤＲｎ）。これにより、カードＣｗは、ベース部４ａ，４ｂから下方にはみ出た起立姿勢となる。
【００６２】
（ＳＴＡ４：反転部内でのカード移動工程）
次いで、図１３に示されるように、反転部Ａ４における搬送ローラ組４ｃ及び斜向ローラ組４ｄの駆動により、カードＣｗを上方に移動して（矢印ＤＲｐ）、カードＣｗの下方端をベース部４ａ，４ｂ内に収め、上方端をはみ出した状態とする。
【００６３】
（ＳＴＡ５：反転部半反転工程＜その２＞及び再転写部供給工程＜２回目＞）
図１３に示されるように、反転部Ａ４のベース部４ａ，４ｂを時計まわり方向にさらに９０°回動させる（矢印ＤＲｑ）。これにより、カードＣｗは、他方の面Ｃｗ２が上方を向いた姿勢となる。
そして、カードＣｗを再度、再転写部Ａ２に供給して（矢印ＤＲｒ）、他方の面Ｃｗ２への転写を行い、排出する（破線矢印ＤＲｓ）。
【００６４】
（ＳＴＡ４）の反転部Ａ４内でのカードＣｗの移動は、ベース部４ａ，４ｂの回動を停止して行わなくてもよい。ベース部４ａ，４ｂの回動中に、カードＣｗの一方端がベース部４ａ，４ｂからはみ出した状態から、他方端がはみ出した状態に移動させてもよい。
【００６５】
以上のように、反転部Ａ４の反転途中でカードＣｗを、一方端がはみ出した状態から、他方端がはみ出した状態に移動させることで、ベース部４ａ，４ｂの直径よりも大きい短手長さを有するカードＣｗにも両面印刷が可能になる。
さらに、斜向ローラ組４ｄの作用によって、カードＣｗに対し、カード基準ガイド４ｆによる幅方向の位置決めがなされるので、カードＣｗの一方の面Ｃ１及び他方の面Ｃ２への転写位置が高精度に決められる。
【００６６】
上述のように、プリンタ５１は、反転部Ａ４に斜向ローラ組４ｄを備えている。
そのため、カードＣを反転部Ａ４から再転写部Ａ２に向け移動させる際に幅方向の位置決めをすることができ、反転部と印刷部との間に、カードの幅方向の位置決めをするための押しつけ機構が不要となっている。
従って、プリンタ５１が大型化することはなく、印刷時間が長くなって印刷効率が低下することはない。
【００６７】
以上詳述した実施例は、上述の構成に限定されるものではなく、本発明の要旨を逸脱しない範囲において変形した変形例としてもよい。
【００６８】
市場に流通しているカードには、短手長さがＩＤカードの長手長さとほぼ同じで、長手長さがＩＤカードの短手長さの約２倍のもの（以下、カードＣｗＡと称する）がある。
すなわち、カードＣｗＡは、概ね、ＩＤカードを短手方向に２枚並べたサイズ及び形状を有する。
そこで、プリンタ５１を、次に説明する構造及び動作を適用したプリンタ５１Ａとすることで、大型のカードＣｗＡの両面印刷を、各面の印刷位置を高精度に位置決めして行うことができる。これについて図１５〜図１９を参照して説明する。
【００６９】
まず、プリンタ５１Ａの構造を、図１５及び図１６を参照して説明する。
図１５は、プリンタ５１Ａの搬送経路を説明するための模式的上面図であり、プリンタ５１の図２に対応する図である。
図１６は、図１５に示される搬送経路を説明するための、幅方向の中央位置における模式的側面図である。
【００７０】
図１５及び図１６に示されるように、プリンタ５１Ａは、プリンタ５１に対し、供給部Ａ３と反転部Ａ４との間に、中継搬送部Ａ７を備えている点で構成上異なっている。
【００７１】
中継搬送部Ａ７は、反転部Ａ４のカードガイド４ｅ及びカード基準ガイド４ｆと、幅方向に同じ間隔及び位置で配置された一対のカードガイド７ｅ，７ｆを有する。
カードガイド７ｆの反転部Ａ４側の一部は、カードガイド７ｅとの間隔を拡張するよう凹んだ幅拡張部７ｈとされている。
中継搬送部Ａ７は、反転部Ａ４が図１５に示される基準状態にあるときに、斜向ローラ組４ｄの回転軸線ＣＬ４ｄと平行の回転軸線ＣＬ７ｄをもって配置された斜向搬送ローラ組７ｄを有する。
斜向搬送ローラ組７ｄは、モータＭ５により駆動される。モータＭ５の動作は制御部Ａ６によって制御される。
【００７２】
斜向搬送ローラ組７ｄと、斜向ローラ組４ｄ及び供給ローラ３ｂと、は、それぞれ搬送方向中央位置で既述のピッチＰｔ１で設置されている。
すなわち、反転部Ａ４が基準状態でカードＣを搬送した場合、斜向ローラ組４ｄと斜向搬送ローラ組７ｄとで同時に、及び供給ローラ３ｂと斜向搬送ローラ組７ｄとで同時に、カードＣを挟持できるようになっている。
これにより、プリンタ５１Ａは、カードＣｗのみならず、カードＣについても、供給部Ａ３と反転部Ａ４との間のカードＣの搬送が、中継搬送部Ａ７を介して可能になっている。
【００７３】
中継搬送部Ａ７は、斜向搬送ローラ組７ｄよりも反転部Ａ４に近い位置に、カードＣ，ＣｗＡの有無を検出するセンサ７ｇを備えている。
センサ４ｇとセンサ７ｇとの、搬送方向ＤＲａにおける間隔は、カードＣの短手長さよりも長く、カードＣｗＡの短手長さよりも短くなっている。
【００７４】
従って、カードＣが搬送されている場合、センサ４ｇ及びセンサ７ｇが同時にカードＣの存在を検出することはない。
一方、カードＣｗＡが搬送されている場合には、センサ４ｇ及びセンサ７ｇの両方で同時にカードの存在が検出される。
これにより、制御部Ａ６は、搬送中のカードが、カードＣであるかカードＣｗＡであるかを判定することができる。
【００７５】
次に、プリンタ５１Ａにおいて、カードＣｗＡに両面印刷を行う手順について説明する。
【００７６】
（ＳＴＢ１：再転写部供給工程＜１回目＞）
図１６に示されるように、既述の（ＳＴ１：再転写部供給工程）と同様に、カードＣｗＡを、基準状態の反転部Ａ４を経由して再転写部Ａ２に供給し（矢印ＤＲｔ）、再転写部Ａ２にて一方の面ＣｗＡ１に転写を行う（図１７も参照）。
【００７７】
（ＳＴＢ２：反転部の空反転及び再供給工程）
カードＣｗＡの一方の面ＣｗＡ１への転写が終了したら、図１７に示されるように、ベース部４ａ，４ｂを１８０°回動する（矢印ＤＲｕ）。
次いで、再転写部Ａ２からカードＣｗＡを反転部Ａ４に戻し、反転部Ａ４において、カードＣｗＡの先頭となる供給部Ａ３側の端部がベース部４ａ，４ｂからはみ出す位置まで移送する。
【００７８】
ここで、中継搬送部Ａ７のカードガイド７ｆには、既述のように、対向するカードガイド７ｅとの距離を拡張するよう凹ませた幅拡張部７ｈが形成されている。
これにより、カードＣｗＡのベース部４ａ，４ｂからはみ出した部分と、カードＣｗＡと、の間に隙間が確保されて、カードＣｗＡとカードガイド７ｆとが接触しないようになっている。
【００７９】
（ＳＴＢ３：反転部の半反転工程＜その１＞）
図１８に示されるように、反転部Ａ４のベース部４ａ，４ｂを時計まわり方向に９０°回動させる（矢印ＤＲｖ）。
これにより、カードＣｗＡは、ベース部４ａ，４ｂから下方に二点鎖線のようにはみ出た起立姿勢となる。
【００８０】
（ＳＴＢ４：反転部内でのカード移動工程）
次いで、反転部Ａ４における搬送ローラ組４ｃ及び斜向ローラ組４ｄを駆動してカードＣｗＡを上方に移動し（矢印ＤＲｗ）、カードＣｗＡの下方端をベース部４ａ，４ｂ内に収め、上方側をベース部４ａ，４ｂから上方にはみ出した状態とする。
【００８１】
（ＳＴＢ５：反転部半反転工程＜その２＞及び再転写部供給工程＜２回目＞）
図１９に示されるように、反転部Ａ４のベース部４ａ，４ｂを時計まわり方向にさらに９０°回動させる（矢印ＤＲｘ）。これにより、カードＣｗＡは、他方の面ＣｗＡ２が上方を向いた姿勢となる。
次いで、カードＣｗＡを、再び再転写部Ａ２に供給して（破線矢印ＤＲｙ）、他方の面ＣｗＡ２への転写を行い、排出する。
【００８２】
以上のように、プリンタ５１Ａによれば、カードＣの例えば２枚分の外形を有する大きなカードＣｗＡについても、良好に反転可能である。
すなわち、プリンタ５１Ａは、反転部Ａ４におけるカードＣｗＡの反転途中で、カードＣｗＡを、ベース部４ａ，４ｂから一方端がはみ出した状態から、他方端がはみ出した状態に移動させるようになっている。
これにより、カードＣｗＡを他の周辺部材と干渉させることなく反転させることができる。
【００８３】
また、反転前及び反転後のいずれにおいても、再転写部Ａ２に搬送供給されるカードＣｗＡの幅方向の位置が、斜向ローラ組４ｄの作用によってカード基準ガイド４ｆで位置決めされる。
これにより、一方の面ＣｗＡ１及び他方の面ＣｗＡ２への転写位置が高精度に決められる。
【００８４】
上述のように、プリンタ５１Ａは、反転部Ａ４に斜向ローラ組４ｄを備えている。また、大形カード用に、反転部Ａ４と供給部Ａ３との間に設けた中継搬送部Ａ７にも斜向搬送ローラ組７ｄを備えている。
【００８５】
そのため、カードＣ，ＣｗＡを反転部Ａ４から再転写部Ａ２に向け移動させる際、及び中継搬送部Ａ７から反転部Ａ４に向け移動させる際に、反転部Ａ４のカード基準ガイド４ｆによって幅方向の位置決めをすることができ、反転部Ａ４と再転写部Ａ２との間に、カードＣ，ＣｗＡの幅方向の位置決めをするための押しつけ機構が不要となっている。
従って、押しつけ機構によってプリンタ５１Ａが大型化することはない。また、押しつけ機構によって印刷時間が長くなり印刷効率が低下することはない。
【００８６】
プリンタ５１，５１Ａを再転写方式のプリンタとして説明したが、再転写式でなく、直接カードに転写などで印刷するプリンタであってもよい。
この場合のプリンタは、転写部Ａ１がないものであるから、再転写部Ａ２は、転写部を含むものであって、転写部Ａ２と読み替えることができる。
【符号の説明】
【００８７】
１  筐体
１ａ  プラテンローラ、    １ｂ  サーマルヘッド
１ｃ，１ｄ  ガイドシャフト
２ａ  ヒートローラ、    ２ｂ  バックローラ
３ａ  カードガイド、    ３ｂ  供給ローラ
４ａ，４ｂ  ベース部、    ４ａ１，４ｂ１  軸部
４ｃ  搬送ローラ組
４ｃ１  駆動ローラ、    ４ｃ２  従動ローラ、    ４ｄ  斜向ローラ組
４ｄ１  斜向駆動ローラ、    ４ｄ２  斜向従動ローラ
４ｅ  カードガイド
４ｆ  カード基準ガイド、    ４ｆ１  先端面
４ｇ  センサ
５ａ  搬出ローラ組
７ｄ  斜向搬送ローラ組、    ７ｅ，７ｆ  カードガイド、    ７ｈ  幅拡張部
７ｇ  センサ
５１，５１Ａ  プリンタ（カードプリンタ）
Ａ１  転写部、    Ａ２  再転写部、    Ａ３  供給部
Ａ４  反転部（カード反転装置）、    Ａ５  搬出部、    Ａ６  制御部
Ａ７  中継搬送部
Ｃ，Ｃｗ，ＣｗＡ  カード、    Ｃａ  短辺、    Ｃｂ  長辺
ＣＧ１，ＣＧ２  転写画像、    Ｃｈ１，Ｃｈ２  短手長さ
Ｃ１，Ｃｗ１，ＣｗＡ１  一方の面
Ｃ２，Ｃｗ２，ＣｗＡ２  他方の面
ＣＬ４，ＣＬ４ｃ，ＣＬ４ｄ，ＣＬ７ｄ  回転軸線
ＣＴ  スタック体
Ｄａ，Ｄｂ  幅
Ｆａ  インクフィルム
Ｆａ１  供給リール、    Ｆａ２  巻き取りリール
Ｆｂ  中間転写フィルム
Ｆｂ１  供給リール、    Ｆｂ２  巻き取りリール
Ｍ３，Ｍ２，Ｍ１，Ｍ４，Ｍ５  モータ
Ｐｔ１，Ｐｔ２  ピッチ
ＳＧ１  検出信号
Ｗ１  間隔
【図１】
2018043807.tif 000003
【図２】
2018043807.tif 000004
【図３】
2018043807.tif 000005
【図４】
2018043807.tif 000006
【図５】
2018043807.tif 000007
【図６】
2018043807.tif 000008
【図７】
2018043807.tif 000009
【図８】
2018043807.tif 000010
【図９】
2018043807.tif 000011
【図１０】
2018043807.tif 000012
【図１１】
2018043807.tif 000013
【図１２】
2018043807.tif 000014
【図１３】
2018043807.tif 000015
【図１４】
2018043807.tif 000016
【図１５】
2018043807.tif 000017
【図１６】
2018043807.tif 000018
【図１７】
2018043807.tif 000019
【図１８】
2018043807.tif 000020
【図１９】
2018043807.tif 000021